(57)【要約】【課題】簡単な構造で複数の幅の通路に対して物品搬入の訓練ができる物品搬入訓練用家屋構造を提供する。【解決手段】通路としての玄関ホール１、一階廊下２、階段３および二階廊下４の側方を固定壁５ａ〜５ｊおよび可動壁６ａ〜６ｆで仕切り、そのうちの可動壁６ａ〜６ｆを壁移動機構により通路の幅方向に移動可能とすることにより、可動壁６ａ〜６ｆを移動させるだけで、種々の幅の通路に対して物品搬入の訓練を行えるようにしたのである。【選択図】図１
2013080137.tif 000002
【特許請求の範囲】
【請求項１】
物品を家屋内の通路を経由して所定場所まで運び入れる作業の訓練を行うための物品搬入訓練用家屋構造において、前記通路の側方を仕切る壁を、その壁が仕切る通路の幅方向に移動可能に設置したことを特徴とする物品搬入訓練用家屋構造。
【請求項２】
前記通路の両側の壁の対応する位置に、足場板が挿通される開口を設け、前記通路の両側の壁の外側に、前記開口から突出した足場板の端部を支持する支持部材を設けたことを特徴とする請求項１に記載の物品搬入訓練用家屋構造。
【請求項３】
前記通路が階段であることを特徴とする請求項１または２に記載の物品搬入訓練用家屋構造。
【発明の詳細な説明】
【技術分野】
【０００１】
本発明は、家電製品等の物品を家屋内に搬入する作業の訓練を行うための家屋構造に関する。
【背景技術】
【０００２】
近年、家電製品や家具等の販売業界では、消費者が店舗や通信販売等で大型の商品を購入した場合、購入された商品を消費者の自宅へ配達するだけでなく、商品を家屋内に運び入れて消費者が指定する位置に設置するサービスが一般的に行われている。
【０００３】
上記のような配達・設置サービスにおいては、商品を家屋内の所定場所まで運び入れる（搬入する）際に、商品と家屋の内装のいずれも傷つけたり汚したりしないことや、迅速かつ正確に搬入・設置作業を行うことが求められる。そこで、このようなサービスに従事するスタッフに搬入作業や設置作業の訓練を受けさせるために、訓練用の家屋構造を有する施設を作ることが考えられるようになってきている。
【０００４】
上記訓練施設を作る場合、施設全体のコンパクト化および建設コストの抑制のために、一定のスペースで種々の間取りの家屋に対する訓練ができるようにしておくことが望ましい。この要求に対しては、一般の住宅用家屋について提案されているように部屋を仕切る間仕切り壁を移動可能とし、間仕切り壁で仕切られる両側の部屋の広さの割合を変える技術（例えば、特許文献１参照。）を適用することができる。
【先行技術文献】
【特許文献】
【０００５】
【特許文献１】特許第４０８２０１７号公報
【発明の概要】
【発明が解決しようとする課題】
【０００６】
しかし、上記特許文献１で提案されたように部屋の広さを可変とした訓練施設でも、狭い廊下や階段等の通路を通って物品を搬入する訓練を行えるようにするためには、幅の異なる多数の通路を設ける必要があり、それによる施設全体の大型化や建設コストの上昇は避けられない。
【０００７】
そこで、本発明は、簡単な構造で複数の幅の通路に対して物品搬入の訓練ができる物品搬入訓練用家屋構造を提供することを課題とする。
【課題を解決するための手段】
【０００８】
上記の課題を解決するために、本発明は、物品を家屋内の通路を経由して所定場所まで運び入れる作業の訓練を行うための物品搬入訓練用家屋構造において、前記通路の側方を仕切る壁を、その壁が仕切る通路の幅方向に移動可能に設置した構成を採用した。
【０００９】
すなわち、通路の側方を仕切る壁を通路幅方向に移動可能とすることにより、その壁を移動させるだけで通路の幅を変えて物品搬入の訓練ができるようにしたのである。
【００１０】
上記の構成において、前記通路の両側の壁の対応する位置に、足場板が挿通される開口を設け、前記通路の両側の壁の外側に、前記開口から突出した足場板の端部を支持する支持部材を設けるようにすれば、人手で操作する壁移動機構を高い位置に設けていても、脚立等よりも安定した足場板に乗って安全かつ容易に壁の移動作業を行うことができる。
【００１１】
また、本発明は、前記通路が階段である場合に、特に有効に適用することができる。
【発明の効果】
【００１２】
本発明の物品搬入訓練用家屋構造は、上述したように、通路の側方を仕切る壁を通路幅方向に移動可能としたものであるから、その壁を移動させるだけで複数の幅の通路に対して物品搬入の訓練を行うことができる。したがって、この物品搬入訓練用家屋構造を用いた訓練施設は、幅の異なる多数の通路を設けた場合に比べて施設全体がコンパクトなものとなり、建設コストも抑えられる。
【図面の簡単な説明】
【００１３】
【図１】実施形態の物品搬入訓練用家屋構造の横断平面図
【図２】図１の家屋構造の要部の外観斜視図
【図３】図１のIII−III線に沿った断面図
【図４】図１のIV−IV線に沿った断面図
【図５】図１のＶ−Ｖ線に沿った断面図
【図６】図１の家屋構造の壁移動作業時の状態を示す図３に対応する断面図
【図７】図１の家屋構造の第１の壁移動機構の平面図
【図８】図７の壁移動機構の要部の外観斜視図（一部可動壁移動状態）
【図９】図７のIX−IX線に沿った要部の断面図
【図１０】図９のＸ−Ｘ線に沿った断面図
【図１１】図１の家屋構造の第２の壁移動機構の一部切欠き平面図
【図１２】図１の家屋構造の可動壁を移動させた状態を示す横断平面図
【発明を実施するための形態】
【００１４】
以下、図面に基づき、本発明の実施形態について説明する。この物品搬入訓練用家屋構造は、物品を家屋内の通路を経由して所定場所まで運び入れる作業の訓練を行うためのものであって、図１乃至図５に示すように、通路としての玄関ホール１、一階廊下２、階段３および二階廊下４と、各通路の側方を仕切る複数の固定壁５ａ〜５ｊおよび可動壁６ａ〜６ｆと、各通路の両側の所定位置に立設された複数の柱７とを備えている。その階段３のコーナー部に立設された２本の柱７には、それぞれ隣接する可動壁６ｃ、６ｄ、６ｅとの間の隙間を塞ぐコーナー壁部材８が取り付けられている。なお、図２に示したように、階段３まわりの可動壁６ｂ〜６ｅには、それぞれ手摺９が取り付けられている（図１および図３〜５では省略）。
【００１５】
前記複数の固定壁のうち、玄関ホール１の外側を仕切る固定壁５ａと、玄関ホール１と一階廊下２との間を仕切る２枚の固定壁５ｂには、それぞれ図示省略したドアを取り付けるための開口１０、１１が設けられている。
【００１６】
また、階段３の螺旋部分を挟んで対向する固定壁５ｇ、５ｉおよび可動壁６ｃ、６ｅには、それぞれ互いに対応する位置に開口１２、１３が設けられ、これらの開口１２、１３に後述する壁移動作業時に用いられる足場板１４が挿通されるようになっている（図３参照）。なお、可動壁６ｃ、６ｅの開口１３は、通常はその下縁部に開閉自在に取り付けられた蓋１５で塞がれている。
【００１７】
前記各可動壁６ａ〜６ｆは、図１および図３〜５中に矢印で示すように、それぞれが仕切る通路の幅方向に移動可能に設置されている。これらの各可動壁６ａ〜６ｆの移動を可能とする壁移動機構は、後述するように、その一部が各可動壁６ａ〜６ｆおよび柱７の上端部に設けられ、人手で操作するようになっている。
【００１８】
このため、階段３まわりの可動壁６ｂ〜６ｅを移動させるときには、図６に示すように、２枚の可動壁６ｃ、６ｅの蓋１５を開けて、これらの可動壁６ｃ、６ｅの開口１３とその外側の固定壁５ｇ、５ｉの開口１２に足場板１４を挿通し、足場板１４の両端部を固定壁５ｇ、５ｉの開口１２の下縁部で支持することにより、作業者が足場板１４に乗って壁移動機構の一部を操作できるようにしている。このようにすれば、階段３上の空間に安定した状態で足場板１４を差し渡せるので、脚立等を用いる場合よりも安全かつ容易に壁の移動作業を行うことができる。
【００１９】
なお、この実施形態では、固定壁５ｇ、５ｉが可動壁６ｃ、６ｅの開口１３から突出した足場板１４の端部を支持する支持部材の役割を果たしているが、足場板の支持部材は固定壁と別に設けてもよい。
【００２０】
次に前述の壁移動機構について説明する。図７乃至図１０は、階段３の上り口から螺旋部分の途中までの側方を仕切る可動壁６ｂ、６ｃを移動可能とする第１の壁移動機構を示す。この第１の壁移動機構は、２枚の可動壁６ｂ、６ｃの間の柱７の上端部に固定された矩形の基板１６と、各可動壁６ｂ、６ｃの上端部に固定され、柱７側の基板１６に対して階段３幅方向にスライド自在に係合するスライド部材１７ａ、１７ｂと、各可動壁６ｂ、６ｃの表面の下端部に設けられ、ピン１８を上下方向にスライド自在かつ係止可能に保持するピン保持部材１９と、階段３の踏み面に設けられ、ピン１８の先端部が挿入されるピン受け部材２０と、各可動壁６ｂ、６ｃの裏面の下端部に取り付けられたキャスター２１とを備えている。
【００２１】
図７および図８に示すように、前記基板１６の両側面には、後述するように各スライド部材１７ａ、１７ｂの階段３幅方向へのスライドを案内する車輪２２が取り付けられている。また、この基板１６の上面の両側部には、階段３の幅方向に沿って並ぶ複数のピン穴２３と、各スライド部材１７ａ、１７ｂの階段３側への脱出を阻止するストッパ２４が設けられている。
【００２２】
一方、前記各スライド部材１７ａ、１７ｂは、平面視Ｌ字状に形成され、基板１６の側面に沿って水平に延びる部分に、基板１６の車輪２２に階段３幅方向へのスライドを案内されるレール２５が取り付けられている。また、各スライド部材１７ａ、１７ｂの先端部は基板１６の上面に重なるように配されており、環状頭部付きピン型金具２６を各スライド部材１７ａ、１７ｂの先端部に通して基板１６のピン穴２３の一つに挿入することにより、基板１６と各スライド部材１７ａ、１７ｂとが階段３幅方向の複数の位置で固定されるようになっている。
【００２３】
図７および図９に示すように、前記ピン受け部材２０とその下面に接する階段３の踏み面には、ピン保持部材１９で保持されるピン１８が挿入されるピン穴２７が、階段３幅方向に沿って基板１６のピン穴２３と同じ間隔で設けられている。また、ピン保持部材１９は、ピン１８をピン受け部材２０および階段３のピン穴２７に挿入される位置と、そのピン穴２７から出た位置で係止できるようになっている。
【００２４】
図７、９および図１０に示すように、前記キャスター２１は、各可動壁６ｂ、６ｃのピン保持部材１９取付位置よりも中央側の裏面に設けられた取付部材２８の下面に取り付けられている。このキャスター２１は、図示は省略するが、各可動壁６ｂ、６ｃに２つずつ取り付けられており、これによって各可動壁６ｂ、６ｃが階段３の踏み面上でスムーズに移動できるように支持されている。
【００２５】
第１の壁移動機構は、上述した構成であり、例えば図７に実線で示した状態から、可動壁６ｃの上端側で基板１６およびスライド部材１７ｂからピン型金具２６を引き抜くとともに、下端側でピン１８をピン穴２７から出た位置で係止すれば、車輪２２とレール２５との係合により、可動壁６ｃを階段３の幅方向にスムーズに移動させることができる。なお、可動壁６ｃは、スライド部材１７ｂがストッパ２４に当接すると停止するので、設計以上に階段３側へ移動するおそれはない。そして、図７の一点鎖線および図８に示したように、可動壁６ｃを所望の位置まで移動させた後、ピン型金具２６およびピン１８をそれぞれピン穴２３、２７に挿入することにより、可動壁６ｃを移動した位置で保持することができる。
【００２６】
図１１は、階段３のコーナー部の間に設けられた可動壁６ｄを移動可能とする第２の壁移動機構を示す。この第２の壁移動機構は、第１の壁移動機構の基板１６およびスライド部材１７ａ、１７ｂに代えて、コーナー壁部材８の上端部の裏面にピン２９を水平方向にスライド自在かつ係止可能に保持するピン保持部材３０を設けるとともに、可動壁６ｄの上端部の裏面にピン２９の先端部が挿入されるピン受け部材３１を設けている。
【００２７】
前記ピン受け部材３１には、ピン保持部材３０で保持されるピン２９が挿入されるピン穴３２が階段３の幅方向に沿って複数設けられている。また、ピン保持部材３０は、ピン２９をピン受け部材３１のピン穴３２に挿入される位置と、そのピン穴３２から出た位置で係止できるようになっている。その他の部分の構成は第１の壁移動機構と同じである。したがって、上下のピン２９、１８をそれぞれピン穴３０、２７から出た位置で係止することにより、可動壁６ｄを階段３幅方向に移動させることができる。
【００２８】
また、例としてあげた３枚の可動壁６ｂ、６ｃ、６ｄ以外の可動壁６ａ、６ｅ、６ｆについても、上述した第１または第２の壁移動機構により、それぞれ通路の幅方向に移動可能となっている。なお、壁移動機構は、この実施形態で説明したものに限らず、通路の側方を仕切る壁を、その壁が仕切る通路の幅方向に移動可能とする機能を有するものであればよい。
【００２９】
図１２は、図１の状態からすべての可動壁６ａ〜６ｆを移動させて、通路の幅を狭めた状態を示す。ここで、どの可動壁を移動させるか、またその移動量（移動後の通路幅）をどのように設定するかは必要に応じて変更できる。すなわち、この物品搬入訓練用家屋構造では、簡単な構造で、可動壁を移動させるだけで種々の幅の通路に対して物品搬入の訓練を行うことができる。
【符号の説明】
【００３０】
１  玄関ホール
２  一階廊下
３  階段
４  二階廊下
５ａ〜５ｊ  固定壁
６ａ〜６ｆ  可動壁
７  柱
１０〜１３  開口
１４  足場板
１５  蓋
【図１】
2013080137.tif 000003
【図２】
2013080137.tif 000004
【図３】
2013080137.tif 000005
【図４】
2013080137.tif 000006
【図５】
2013080137.tif 000007
【図６】
2013080137.tif 000008
【図７】
2013080137.tif 000009
【図８】
2013080137.tif 000010
【図９】
2013080137.tif 000011
【図１０】
2013080137.tif 000012
【図１１】
2013080137.tif 000013
【図１２】
2013080137.tif 000014
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
物品を家屋内の通路を経由して所定場所まで運び入れる作業の訓練を行うための物品搬入訓練用家屋構造において、前記通路としての階段の側方を仕切る壁を、その壁が仕切る階段の幅方向に移動可能に設置したことを特徴とする物品搬入訓練用家屋構造。
【請求項２】
前記階段の両側の壁の対応する位置に、足場板が挿通される開口を設け、前記階段の両側の壁の外側に、前記開口から突出した足場板の端部を支持する支持部材を設けたことを特徴とする請求項１に記載の物品搬入訓練用家屋構造。